(57)【特許請求の範囲】
【請求項１】
熱源機と、該熱源機と給湯管及びシステム内通信手段を介して接続される端末機器とを有するセントラルヒーティングシステムの簡易試運転方法であって、
該熱源機に備えられた通信用基板に通信手段を介して該熱源機に接続される診断装置に該熱源機に接続される端末機器のリストを表示し、
前記診断装置から前記熱源機に簡易試運転を要求し、
該熱源機は、簡易試運転の要求を受けると、接続される全ての端末機器に対応する熱動弁を開状態として端末機器の運転を実行させ、
該接続される端末機器のうち高温系の各端末機器は、対応するサーミスタ温度を測定して自端末の正常異常を判定し、前記熱源機に通知し、
該高温系の端末機器から通知された判定結果を前記熱源機から前記診断装置に通知し、
該診断装置は、通知された各端末機器の正常性判断を、前記リストに表示された端末毎に表示する
ことを特徴とするセントラルヒーティングシステムの簡易試運転方法。
【請求項２】
請求項１において、
さらに、前記熱源機に接続される低温系の端末機器の配管の戻りチューブの温度であって、作業者により測定し前記熱源機に通知された温度の状態から正常又は異常を検知し、該検知結果を低温系の端末機器毎に表示することを特徴とするセントラルヒーティングシステムの簡易試運転方法。
【請求項３】
請求項１又は２において、
前記熱源機に通知された温度の状態から正常又は異常が検知される結果として、複数の端末機器が異常である場合は、前記熱源機の故障と判断されることを特徴とするセントラルヒーティングシステムの簡易試運転方法。
【請求項４】
熱源機と、該熱源機と給湯管及びシステム内通信手段を介して接続される端末機器とを有するセントラルヒーティングシステムであって、
該熱源機に備えられた通信用基板に通信手段を介して該熱源機に接続される診断装置を有し、
該診断装置は、該熱源機に接続される端末機器のリストを表示し、前記熱源機に簡易試運転を要求し、
該熱源機は、簡易試運転の要求を受けると、接続される全ての端末機器に対応する熱動弁を開状態として端末機器の運転を実行させ、該接続される端末機器のうち高温系の各端末機器は、対応するサーミスタ温度を測定して自端末の正常異常を判定し、前記熱源機に通知し、更に前記熱源機は、該高温系の端末機器から通知された判定結果を前記診断装置に通知し、
該診断装置は、通知された各端末機器の正常性判断を、前記リストに表示された端末毎に表示する
ことを特徴とするセントラルヒーティングシステム。
【請求項５】
請求項４において、
さらに、前記熱源機に接続される低温系の端末機器の配管の戻りチューブの温度であって、作業者により測定し前記熱源機に通知された温度の状態から正常又は異常を検知し、該検知結果を低温系の端末機器毎に表示することを特徴とするセントラルヒーティングシステム。
【請求項６】
請求項４又は５において、
前記熱源機に通知された温度の状態から正常又は異常が検知される結果として、複数の端末機器が異常である場合は、前記熱源機の故障と判断されることを特徴とするセントラルヒーティングシステム。
【発明の詳細な説明】
【０００１】
【発明の属する技術分野】
本発明は、セントラルヒーティングシステムの簡易試運転方法に関する。特に複数の接続端末の正常性と熱源機の正常性を簡易に判定可能とするセントラルヒーティングシステムの簡易試運転方法に関する。
【０００２】
【従来の技術】
近年、ガスセントラルヒーティング（ＧＣＨ）システムが広くに普及している。ＧＣＨシステムは、比較的大きい能力を有する熱源機が、風呂、台所、洗面所などへの給湯に加えて、床暖房パネル、エアコン、乾燥機などのＧＣＨ端末機器への給湯を行う。
【０００３】
それに伴い、熱源機は、風呂、台所、洗面所と給湯管を介して接続されると共に、ＧＣＨ端末機器にも循環路である給湯管を介して接続される。そして、熱源機は、通常の給湯器と同様に風呂用リモコンや台所用リモコンと通信回線を通じて接続され、それらリモコンからの運転要求に応答して自動湯張りや追い焚きなどの所定の燃焼運転を行う。
【０００４】
更に、熱源機は、ＧＣＨ端末機器のリモコンや制御パネルとも通信回線を通じて接続され、それらのリモコンや制御パネルからの運転要求に応答して、対応する燃焼運転を行う。
【０００５】
【発明が解決しようとする課題】
このようなＧＣＨシステムは、その敷設工事完了時に試運転を行い正しい機能動作の確認が必要である。あるいは故障修理時において、いずれの機器が動作不良原因であるかを探るために試運転動作が必要である。
【０００６】
このために、接続端末を順次運転してその正常性を確認していくことが可能であるが、一の端末に相当の運転時間を要し、したがって、全ての接続端末に対する試運転試験を行う場合は長時間を要し、施工及び保守作業が効率的でない。
【０００７】
さらに、接続端末を正常に運転させるには、熱源機の機能が正常であり、正しく接続端末機器に給湯が行われていることが、ＧＣＨシステムの敷設工事完了時あるいは、保守点検時に接続端末の正常性を判断する上で重要である。
【０００８】
かかる点から本発明の目的は、ＧＣＨシステムの敷設工事完了時あるいは、保守点検時に効率的に正常性を判定する事を可能とするセントラルヒーティングシステムの簡易運転方法を提供することにある。
【０００９】
【課題を解決するための手段】
本発明の目的を達成する熱源機と、該熱源機と給湯管及びシステム内通信手段を介して接続される端末機器とを有するセントラルヒーティングシステムの簡易試運転方法であって、前記熱源機に備えられた通信用基板に通信手段を介して前記熱源機に接続される診断装置に前記熱源機に接続される端末機器のリストを表示し、前記診断装置から前記熱源機に簡易試運転を要求し、前記熱源機は、簡易試運転を要求をうけると、接続される全ての端末機器に対応する熱動弁を開状態として端末機器の運転を実行させ、前記接続される端末機器のうち高温系の各端末機器は、対応するサーミスタ温度を測定して自端末の正常異常を判定し、前記熱源機に通知し、前記高温系の端末機器から通知された判定結果を前記熱源機から前記診断装置に通知し、前記診断装置は、通知された各端末機器の正常性判断を端末毎に表示することを特徴とする。
【００１０】
さらに、好ましい一態様として、前記熱源機は、接続される全ての端末機器に対応する熱動弁の開指令を出力し、前記接続される端末機器のうち高温系の各端末機器は、対応するサーミスタ温度を測定して自端末の正常異常を判定し、前記熱源機に通知し、前記高温系の端末機器から通知された判定結果を前記熱源機に表示することを特徴とする。
【００１１】
また、好ましい一態様として、前記熱源機に接続される低温系の端末機器の配管の戻りチューブの温度であって、作業者により測定し前記熱源機に通知された温度の状態から正常又は異常を検知し、前記検知結果を端末毎に表示することを特徴とする。
【００１２】
さらにまた、好ましい一態様として、前記熱源機に通知された温度の状態から正常又は異常が検知される結果として、２以上の端末機器が異常である場合は、前記熱源機の故障と判断されることを特徴とする。
【００１３】
本発明の更なる特徴は、以下の図面を参照して説明される発明の実施の形態から明らかになる。
【００１４】
【発明の実施の形態】
以下図面を参照して本発明の実施の形態を説明する。しかしながら、かかる実施の形態例が、本発明の技術的範囲を限定するものではない。なお、図において同一又は類似のものには、同一の参照番号又は参照記号を付して説明する。
【００１５】
図１は、本発明の簡易試運転方法の実施の対象とするＧＣＨシステムの実施例構成と、熱源器とは独立した自動試運転モニター装置としての故障診断装置との関係を説明する図である。
【００１６】
以下の実施例では、ＧＣＨシステムの端末機器として風呂、床暖房パネル、バス乾燥機、２台のエアコンが熱源機に接続されている例で説明する。
【００１７】
図１において、ＧＣＨシステムは、ガスを燃焼して給湯または湯の循環を行う熱源機１と、それに接続された複数のＧＣＨ端末機器、例えば床暖房パネル６０，バス乾燥機６４，エアコン６８，エアコン７２及び風呂５０を有する。
【００１８】
熱源機１は、風呂や台所、洗面所に給湯するための給湯路１１とその熱交換機１０と、それ以外のＧＣＨ端末機器に循環湯を供給する給湯路１４とその熱交換機１３とを有する。熱交換機それぞれには、ガスを燃焼する燃焼バーナ１２，１５が設けられる。
【００１９】
第１の給湯路１１には、図示しない給水管と給湯栓がつながれ、給湯栓が開かれると、給水管から給湯路１１内に給水が行われ、それに応答してバーナー１２が燃焼し、給湯栓に給湯が行われる。給湯栓は、台所、洗面所、風呂などに設けられる。
【００２０】
さらに、第１の給湯路１１は、開閉弁１６及び追い焚き循環路５３を介して、風呂５０に給湯する。追い焚き循環路５３は、追い焚き用熱交換機１９につながれ、第２の給湯路１４内をバイパスする湯からの熱交換により浴槽内の湯が温められる。
【００２１】
また、第２の給湯路１４は、往きヘッダ８０と戻りヘッダ８１に接続されるそれぞれの循環路を介して、床暖房パネル６０、バス乾燥機６４、エアコン６８，７２にそれぞれ接続され、それぞれの端末機器からの要求に応答して、それら循環路に湯を循環させる。
【００２２】
端末機器への湯の循環は、それぞれの循環路内に設けた熱動弁からなる開閉弁６２，６６，７０，７４をして通して行われる。これらの熱動弁は、熱源機１内の制御用マイクロコンピュータ２１からの駆動により、開閉される。
【００２３】
ＧＣＨ端末機器には、それぞれ制御用のマイクロコンピュータ６１，６５，６９，７３が設けられ、熱源機１内の通信用マイクロコンピュータ２２と通信回線を介して接続される。床暖房パネル６０の場合は、マイクロコンピュータ６１は床暖房リモコンであり、バス乾燥機６４の場合は、マイクロコンピュータ６５は制御装置であり、エアコン６８，７２の場合も、マイクロコンピュータ６９，７３は制御装置である。また、風呂用リモコン５１もマイクロコンピュータで構成され、熱源機１の通信用マイクロコンピュータ２２と通信可能になっている。
【００２４】
熱源機１に設けられた制御用マイクロコンピュータ２１は、リモコン５１，６１やＧＣＨ端末の制御装置６５，６９，７３からの運転指令に応答して、熱源機内部のセンサの出力をモニタし、熱源機内部のアクチュエータを駆動する。
【００２５】
アクチュエータは、例えば、燃焼バーナのガス電磁弁、着火用イグナイター（図示せず）、循環ポンプ１７，１８、風呂給湯栓１６、各端末への循環路を開く熱動弁６２，６６，７０，７４等であり、センサは、給湯路１１，１４の入水温度、出湯温度センサ（図示せず）、燃焼ファンの回転数センサ（図示せず）などである。
【００２６】
制御用マイクロコンピュータ２１には、熱源機の各種パラメータや設定値などが記録される不揮発性メモリ５４が接続される。更に、不揮発性メモリ５４には、熱源機１のパスワードも記憶される。また、制御用マイクロコンピュータ２１は、通信用マイクロコンピュータ２２を介して、各端末からの指令信号、モニタ信号、リモコンからの指令信号等を受信し、運転状態やエラーを示す信号などを送信する。制御用マイクロコンピュータと通信用マイクロコンピュータとは一体のマイクロコンピュータで実現されてもよい。
【００２７】
台所や洗面所の給湯栓が開かれたり、風呂リモコンから運転指令が出されたりすると、制御用マイクロコンピュータ２１により、燃焼バーナ１２の燃焼運転が開始され、通常の給湯器と同様の燃焼制御が行われる。
【００２８】
また、ＧＣＨ端末機器から運転指令が出されると、その運転指令が通信用マイクロコンピュータ２２に送信される。各端末のマイクロコンピュータと通信用マイクロコンピュータ２２との通信は、予めメーカ間で取り決められた共通のプロトコルにより行われるインテリジェント通信である。
【００２９】
通信用マイクロコンピュータ２２は、運転指令を受信すると、制御用マイクロコンピュータ２１に運転指令を伝える。それに応答して、制御用マイクロコンピュータ２１は、運転指令を発行した端末の熱動弁を開くよう制御すると共に、対応する燃焼制御を行う。
【００３０】
本実施例では、本発明に従う簡易試験の実行指示と簡易運転結果を表示するモニター機能を有するものとして、ノートパソコンなどの携帯情報端末で構成される故障診断装置２がプロトコル変換装置３を介して、熱源機１内の制御用マイクロコンピュータ２１に接続される。
【００３１】
そのために、熱源機１には、通信用のケーブル２６を接続するためのコネクタ２３が設けられる。
【００３２】
本実施例の故障診断装置２は、汎用のノートパソコンなどの携帯情報端末である。従って、例えば、ウインドウズ９５やウインドウズＮＴ（いずれもマイクロソフト社の商標）などの標準ＯＳにより動作するので、その通信プロトコルも標準プロトコルである。
【００３３】
これに対して、故障診断の対象となる熱源機１内の制御用マイクロコンピュータ２１は、各メーカ毎に異なる仕様で構成され、対応可能な通信プロトコルも、標準プロトコルとは異なる独自仕様の場合が多い。このマイクロコンピュータ２１による通信機能は、通常メーカでの出荷試験時の動作試験用に開発されたものであり、従って、メーカ毎に通信プロトコルやパスワードが異なるのである。
そこで、本実施例では、故障診断装置２と給湯器１との間に、プロトコル変換装置３を介在させ、そこで、標準プロトコルによる電文と給湯器固有のプロトコルによる電文との間でプロトコル変換を行わせている。
【００３４】
プロトコル変換装置３は、コネクタ３１，３２と、マイクロコンピュータなどで構成されるプロトコル変換手段３０とを有する。プロトコル変換手段３０は、ＣＰＵ、ＲＡＭ、プログラム変換プログラムを内蔵するＲＯＭ、及び入出力バッファＢＵＦなどを有し、メモリＲＡＭ内の通信制御用メモリ領域は、所定のレジスタからなる通信制御用メモリ領域に、プロトコル変換に必要な給湯器側の通信プロトコルのパラメータが記録される。
【００３５】
熱源機１の制御用マイクロコンピュータ２１は、制御プログラムを内蔵する。この制御プログラムは、例えば、各リモコンや端末から要求された運転に対応する燃焼シーケンスを制御するための燃焼制御シーケンスプログラムと、故障診断装置２との通信を行うための通信制御プログラムとを有する。この通信制御プログラムを有することにより、故障診断装置２との間で通信を行うことができ、自動故障診断を可能にする。
【００３６】
さらに、上記制御プログラムは、後に詳細に説明する本発明に従いモニター対象とされる簡易試運転を制御するプログラムも含まれる。
【００３７】
熱源機１内の制御用マイクロコンピュータ２１は、リモコン、ＧＣＨ端末機器のマイクロコンピュータ、及び故障診断装置２から、本発明に従う簡易試運転等の所定の指令信号を受信した時に、例えば、その制御プログラムの実行を示すフラグを内蔵ＲＡＭ内に記録する。
【００３８】
そして、内蔵される燃焼制御シーケンスプログラムは、そのフラグを参照して指令信号に対応する制御プログラムの実行を行う。また、燃焼制御シーケンスプログラムは、内蔵ＲＡＭ内に記録されたセンサ出力データからセンサの状態を検出して、燃焼制御に必要なアクチュエータの駆動を指令するデータを、内蔵ＲＡＭ内の対応する領域に書き込む。制御用マイクロコンピュータ２１は、その内蔵ＲＡＭに書き込まれた指令データを参照して、熱源機内のアクチュエータに指令信号を与える。
【００３９】
従って、故障診断装置２は、通信手段を利用して、上記の熱源機１内のマイクロコンピュータ２１が内蔵するＲＡＭの情報を書き換えたりすることで、故障診断に必要な所望の燃焼制御を指示することができ、また、ＲＡＭの情報を読み出したりすることにより、それに対応するセンサ出力や給湯器内の状態を監視することができる。
【００４０】
そのために、故障診断装置２には、入力手段としてキーボード２８と、モニタ画面２７とが設けられ、更に、通信ポート２９が設けられる。
【００４１】
故障診断装置２の通信ポート２９は、ＲＳ２３２Ｃケーブル２６１を介してプロトコル変換装置３に接続される。そして、プロトコル変換装置３は、別のケーブル２６を介して、熱源機１のコネクタ２３に接続される。
【００４２】
図２は、故障診断装置２内の構成例を示す図である。図１と同じ部分には同じ参照番号を与えている。故障診断装置２は、ハードウエアとしては、前述のモニタ画面２７、キーボード２８、通信ポートであるコネクタ端子２９、ＣＰＵ３０、ファイル格納装置としてのハードディスク３１、及びメインメモリ３２を有する。
【００４３】
ＯＳと共にハードディスク３１に格納される情報ファイルの一部としてキーボード２８からの入力を受信し、必要な表示をモニタ画面２７に対して行うアプリケーションソフトウエアが含まれる。さらに、かかるアプリケーションソフトウェアにより修理作業員に共通の故障診断メニュー画面を提供するためのデータもハードディスク３１に格納されている。
【００４４】
また、コネクタ端子２９に接続されるケーブルを介して通信を行うための、通信制御プログラムもハードディスク３１に格納される情報ファイルの一部として含まれる。この通信制御プログラムは、汎用ＯＳに従う標準通信プロトコルによって、電文フォーマットを作成して外部と通信する。
【００４５】
さらに、情報ファイルは、ＧＣＨ端末機器の故障診断プログラムも有する。後述する通り、本発明に従う簡易試運転方法もかかる故障診断プログラムによる実行の一部として実現される。
【００４６】
図３は、本発明の一実施例動作フロー図である。ＧＣＨシステムの設置完了時あるいは保守時に、熱源機１に接続されるＧＣＨ端末機器の動作確認のための試運転が行われる。
【００４７】
この時、従来の方法では、熱源機１に接続されるＧＣＨ端末機器のそれぞれに対し、順番に試運転を実行していた。これに対し、本発明では接続される全ＧＣＨ端末機器に対し、同時に試運転の実行を指示する。
【００４８】
このために、熱源機１に接続される端末機器のリストを故障診断装置２のモニタ２７に表示する（ステップＳ１）。
【００４９】
図４は、故障診断装置２のモニタ２７に表示される端末機器のリストの例である。高温系と低温系にリストが分けられて表示されている。
【００５０】
図３のフローに従い、保守者により故障診断装置２から熱源機１に対し、簡易試運転要求が送られる（ステップＳ２）。これに応答して熱源機１は全ての接続端末機器に対し、運転指令を送り、熱動弁を開く（ステップＳ３）。
【００５１】
ついで、各端末機器は対応するサーミスタ温度を測定する（ステップＳ４）。この測定されたサーミスタ温度から対応する端末機器毎に正常異常（ＯＫ／ＮＧ）を判定し、これを熱源機１に通知する（ステップＳ５）。
【００５２】
ついで、熱源機は１、高温系端末機器から通知された正常異常の判定結果を、故障診断装置２に通知する（ステップＳ６）。このステップＳ４〜Ｓ６の処理は、高温系の接続端末の全てに対し繰り返される（ステップＳ７）。
【００５３】
図４に示されるようにリストされた高温系の接続端末機器の試運転結果の良否が熱源機１から故障診断装置２に通知され、表示される。
【００５４】
一方、床暖房等の低温系の端末機器に関しては、熱源機１によりサーミスタ温度が測定されない。このために温水循環用のペアチューブの戻り配管の温度が作業者により測定される。
【００５５】
図５は、かかる低温系の端末機器の試運転結果を測定する方法を説明する図であり、床暖房機能の端末機器６０に温水を循環するペアチューブの戻り配管に温度測定プローブ１０１を置き、作業者がその検知される温度を測定器１０２で測定し、故障診断装置２に手入力し、これを表示する（ステップＳ８）。
【００５６】
このようにして、故障診断装置２のモニタ２７に表示される接続端末の正常か異常かの判断が容易となり、作業効率が向上する。
【００５７】
なお、故障診断装置２は、表示される端末機器の複数の機器が試運転の結果、異常と判断される場合は、熱源機１の異常と判断することができる。
【００５８】
【発明の効果】
以上図面に従い本発明を説明したが、本発明により従来の自動試運転に較べて時間が短縮される。さらに、熱源機の位置で端末機器の試運転結果を把握することができ、容易に故障個所を推測することが可能である。これにより、施工時のみならず、修理時の現象確認あるいは、保守点検時の作業を効率化できる。
【００５９】
なお、本発明の保護範囲は、上記の実施の形態例に限定されるものではなく、特許請求の範囲に記載された発明とその均等物にまで及ぶものである。
【図面の簡単な説明】
【図１】ＧＣＨシステムと故障診断装置の例を示す図である。
【図２】故障診断装置内の構成を示す図である。
【図３】本発明の簡易試運転方法の一実施例の動作フローである。
【図４】故障診断装置のモニタ画面の表示例であり、本発明に従う簡易試運転結果のモニタ画面である。
【図５】本発明による低温系の端末機器の試運転結果を測定する方法を説明する図である。
【符号の説明】
１      熱源機
２      故障診断装置
３      プロトコル変換装置
２１    制御用プロセッサ
２２    通信用プロセッサ
６０    床暖房パネル（ＧＣＨ端末機器）
６４    バス乾燥機（ＧＣＨ端末機器）
６８，７３    エアコン（ＧＣＨ端末機器）
【図１】
0003630607.tif 000002
【図２】
0003630607.tif 000003
【図３】
0003630607.tif 000004
【図４】
0003630607.tif 000005
【図５】
0003630607.tif 000006